(57)【要約】【課題】レシート、チケット、新聞の切り抜き等の印刷紙片を的確に固定するとともに、自動紙送り機構を備えたスキャナに最適なスキャナ用読取シートを提供することを目的とする。【解決手段】少なくとも一面に粘着層を設けた台紙と、前記台紙の少なくとも一辺に固定され他辺方向から剥離可能な透明シートが前記粘着層に装着され、前記粘着層と前記透明シートの間に被読取用紙が挟持された状態で前記固定辺側からイメージスキャナの読取紙送り機構に読み取られるスキャナ用読取シートである。【選択図】図１
2009284091.tif 000002
【特許請求の範囲】
【請求項１】
少なくとも一面に粘着層を設けた台紙と、前記台紙の少なくとも一辺に固定され他辺方向から剥離可能な透明シートが前記粘着層に装着され、前記粘着層と前記透明シートの間に被読取用紙が挟持された状態で前記固定辺側からイメージスキャナの読取紙送り機構に読み取られるスキャナ用読取シート。
【請求項２】
前記被読取用紙は会計用伝票、新聞・雑誌記事等の印刷面を有する紙片である請求項１記載のスキャナ用読取シート。
【請求項３】
前記粘着層は、台紙表面の一部に粘着剤を混合した印刷用インク（糊インク）を塗布したものであり、当該糊インクにより文字、図形、記号または画像が描かれている請求項１または２記載のスキャナ用読取シート。
【請求項４】
前記粘着層は台紙の表裏面に設けられており、１枚の透明シートが前記固定辺を中心に前記台紙の表裏面方向に折り込まれている請求項１〜３のいずれかに記載のスキャナ用読取シート。
【請求項５】
前記固定辺または側辺にはフォルダへの綴じ穴が設けられている請求項１〜４のいずれかに記載のスキャナ用読取シート。
【請求項６】
前記台紙の台紙面に対して粘着剤を混合した印刷用インク（糊インク）の占有面積比率は２％以上で且つ１００％以下であり、且つ前記糊インクの粘着力が０．００１Ｎ／１０ｍｍ以上で且つ１０Ｎ／１０ｍｍ以下である請求項３記載のスキャナ用読取シート。
【請求項７】
１箇所または複数箇所に折り目が設けられており、折り込まれて手帳に収納可能な請求項１〜６のいずれかに記載のスキャナ用読取シート。
【請求項８】
２枚の透明シートを重ね合わせて少なくとも一辺を固定し、または１枚の透明シートを中央部から折り込んで重ね合わせてその折り目により一辺を固定し、重ね合わせた内面の少なくとも一面に粘着層を設けて前記固定辺の他辺方向から剥離可能として、前記粘着層と前記透明シートの間に被読取用紙が挟持された状態で前記固定辺側からイメージスキャナの読取紙送り機構に読み取られるスキャナ用読取シート。
【請求項９】
前記被読取用紙を挟持した状態での前記スキャナ用読取シートの厚みは０．００１ｍｍ以上で且つ５．００ｍｍ以下である請求項１〜８のいずれかに記載のスキャナ用読取シート。
【発明の詳細な説明】
【技術分野】
【０００１】
本発明は、イメージスキャナの読取シートに関する。
【背景技術】
【０００２】
パーソナルコンピュータにイメージデータを格納するためのイメージスキャナは、個人用途のフラットベッドスキャナと、ビジネス用途の複合機を含む自動給紙機構を備えたスキャナとがある。
【０００３】
前者はスキャナとしては安価であり、新聞、雑誌や１枚ずつの用紙の読取には適しているが、複数枚を連続して読み取るような用途には適していなかった。
【０００４】
一方、自動給紙機構を備えたスキャナは定常的な大きさの印刷物を連続的に読み取ることに優れているが、機構が複雑となり高価であるため、個人が所有するスキャナとしては適していなかった。
【０００５】
この点について、株式会社ＰＦＵのＳｃａｎＳｎａｐ（商標名）は、自動紙送り機構を備えた個人用のスキャナとして数万円台の価格を実現しており、個人のイメージファイリングに貢献する入力機器として期待されている。
【特許文献１】特開２００４−３４３２７１号公報
【発明の開示】
【発明が解決しようとする課題】
【０００６】
しかしながら、個人のイメージファイリングのニーズとしては、読み込み媒体が必ずしも定常的な大きさの印刷物だけとは限らず、むしろレシート（領収書）、チケット、新聞の切り抜き等、不定形の紙片が多く、これらをイメージデータ化するためには、一旦複写機でＡ４用紙等の定型用紙に印刷した後にスキャナに読み込ませたり、Ａ４用紙に糊等で貼り付けた状態でスキャナに読み込ませざるを得なかった。
【０００７】
また、透明シートに当該紙片を挟み込んでスキャナに読み込ませることも考えられるが、自動紙送り機構に挿入した状態で紙片がずれてしまい、読み取りが当該紙片を当初固定した位置で行えない場合が多いという不具合があった。
【０００８】
さらに、読み取り後の当該紙片を保存したい場合には、また別のファイル等にファイリングし直すか、上述のとおりＡ４用紙に糊等で貼り付けた上で、パンチで穴を空けてファイリングしなければならず、読み込み作業から保存作業までに複数の作業工程を重ねなければならなかった。
【０００９】
本発明は、このような点に鑑みてなされたものであり、レシート、チケット、新聞の切り抜き等の印刷紙片を的確に固定するとともに、自動紙送り機構を備えたスキャナに最適なスキャナ用読取シートを提供することを技術的課題とする。また、読み取りから保存まで作業を省力化できるスキャナ用読取シートを提供することを技術的課題とする。
【課題を解決するための手段】
【００１０】
前記課題を解決するために、本発明では、以下の手段を採用した。
【００１１】
本発明の第１は、少なくとも一面に粘着層を設けた台紙と、前記台紙の少なくとも一辺に固定され他辺方向から剥離可能な透明シートが前記粘着層に装着され、前記粘着層と前
記透明シートの間に被読取用紙が挟持された状態で前記固定辺側からイメージスキャナの読取紙送り機構に読み取られるスキャナ用読取シートである。
【００１２】
これによれば、粘着層と透明シートとの間で被読取用紙である印刷紙片が確実に固定されるとともに、透明シートの固定辺側からイメージスキャナの紙送り機構に挿入されるため、紙送り機構のローラの摩擦力により透明シートと台紙が分離してしまうことを防止できるため、不定形な印刷紙片を確実にイメージファイリングすることができる。
【００１３】
本発明の第２は、前記被読取用紙を会計用伝票、新聞・雑誌記事等の印刷面を有する紙片としたものである。
【００１４】
本発明の第３は、前記粘着層を台紙表面の一部に粘着剤を混合した印刷用インク（糊インク）を塗布したものとし、当該糊インクにより文字、図形、記号または画像を描いたものとした。
【００１５】
これによれば、粘着層に粘着剤を混合した印刷用インク（糊インク）を用いることができ、被読取用紙が挟持されていない部分は透明シートを介して印刷面が目視できるため、糊インクで会社名、商品名等の文字やロゴを配置して広告情報を表示することができる。また、印刷用インクであるため白黒のみならずカラー印字にも対応できるため、上記広告情報への注目をより喚起させることができる。さらに、当該糊インクにより紙片の配置位置を示す目盛り、方眼目等を設けてもよい。
【００１６】
本発明の第４は、前記粘着層を台紙の表裏面に設け、１枚の透明シートを前記固定辺を中心に前記台紙の表裏面方向に折り込む構造としたものである。
【００１７】
このように、台紙に対して１枚の透明シートで表裏面をカバーさせるとともに、折り込んだ部分を固定辺とすることによって、部材点数を低減できるとともに、自動紙送り機構に挿入した場合でも透明シートと台紙のずれが生じることをより確実に防止することができる。
【００１８】
本発明の第５は、前記固定辺または側辺にはフォルダへの綴じ穴を設けた構造としたものである。
【００１９】
このように、本発明のスキャナ用読取シートは、スキャナでの読み取り後に、そのままフォルダに綴じることができる。
【００２０】
本発明の第６は、前記台紙の台紙面に対して粘着剤を混合した印刷用インク（糊インク）の占有面積比率は２％以上で且つ１００％以下であり、且つ前記糊インクの粘着力が０．００１Ｎ／１０ｍｍ以上で且つ１０Ｎ／１０ｍｍ以下としたものである。
【００２１】
本発明者の実験によれば、糊インクの塗布による印刷面の占有面積が２％未満、且つ糊インクの粘着力が０．００１Ｎ／１０ｍｍ未満では粘着性が低すぎてスキャナの自動紙送り機構に挿入した際に、台紙と被読取用紙と透明シートのずれを生じてしまう。また、印刷面の占有面積が１００％、且つ糊インクの粘着力が１０Ｎ／１０ｍｍ以上となった場合、印刷面が見苦しくなるとともに粘着性が高くなりすぎて粘着面からの被読取用紙の剥離が困難になってしまう。しかしながら、上記パラメータの範囲内であれば、スキャナ読み取り時の粘着性も適度に保たれ、且つ被読取用紙の剥離も好適に行うことができる。
【００２２】
本発明の第７は、１箇所または複数箇所に折り目が設けられており、折り込まれて手帳に収納可能なものとした。
【００２３】
本発明の第８は、２枚の透明シートを重ね合わせて少なくとも一辺を固定し、または１枚の透明シートを中央部から折り込んで重ね合わせてその折り目により一辺を固定し、重ね合わせた内面の少なくとも一面に粘着層を設けて前記固定辺の他辺方向から剥離可能として、前記粘着層と前記透明シートの間に被読取用紙が挟持された状態で前記固定辺側からイメージスキャナの読取紙送り機構に読み取られるスキャナ用読取シートである。
【００２４】
これによれば、粘着層と透明シートとの間で被読取用紙である印刷紙片が確実に固定されるとともに、透明シートの固定辺側からイメージスキャナの紙送り機構に挿入されるため、紙送り機構のローラの摩擦力により透明シートが剥離してしまうことを防止できるため、不定形な印刷紙片を確実にイメージファイリングすることができる。さらに、台紙を不要とすることで部材点数を軽減できるとともに、シートの厚さを薄くできるので、読み取り時には厚みによる紙詰まりを防止して好適な紙送りが可能となり、保存時には厚みによる嵩張りを軽減できる。
【００２５】
本発明の第９は、被読取用紙を挟持した状態でのスキャナ用読取シートの厚みは０．００１ｍｍ以上で且つ５．００ｍｍ以下としたものである。
【００２６】
本発明者の実験によれば、被読取用紙を挟持した状態でのスキャナ用読取シートの厚みを０．００１ｍｍ未満とした場合、スキャナ用読取シートが薄すぎてスキャナの自動紙送り機構に挿入した際に、スキャナ内で紙詰まりを起こしてしまう。また、スキャナ用読取シートの厚みを５．００ｍｍ以上とした場合、スキャナ用読取シートの厚みによりスキャナの自動紙送り機構に挿入した際に紙送りが困難になってしまう。さらに、透明シートの厚みによりスキャナ読み取り時の透過性が低下することで、読み取った画像データの画質も低下してしまう。しかしながら、スキャナ用読取シートの厚みが上記パラメータの範囲内であれば、スキャナ読み取り時の紙詰まりを防止し、好適なスキャナでの読み取りを行うことができる。
【発明の効果】
【００２７】
本発明によれば、レシート、チケット、新聞の切り抜き等の印刷紙片を的確に固定するとともに、自動紙送り機構を備えたスキャナに最適なスキャナ用読取シートを提供することができる。また、読み取りから保存まで作業を省力化できるスキャナ用読取シートを提供することができる。
【発明を実施するための最良の形態】
【００２８】
以下、本発明の最良の実施形態を図に基づいて説明する。
【００２９】
図１は、本発明の一実施形態であるスキャナ用読取シートの全体構成図である。
【００３０】
本実施形態のスキャナ用読取シートは、図４に示すように、イメージスキャナ１５の紙送り機構に挿入され、不定形な印刷紙片を確実にイメージファイリングするためのシートである。前記イメージスキャナ１５は、ＵＳＢケーブルを介してパーソナルコンピュータに接続されており、当該イメージスキャナ１５で読み取った画像データがパーソナルコンピュータにインストールされたプログラムによってそのハードディスク装置内にイメージファイリング可能となっている。なお、図４では個人用のイメージスキャナを用いて説明しているが、同様に紙送り機構を備える複合機、あるいはフラットベッドスキャナでも読み取りは可能である。
【００３１】
台紙１は、被読取用紙を貼付するためのシート中央部２と読み取る情報を記載するためのシート底部３とで構成されている。シート中央部２の表面には、イメージスキャナ１５
で画像ファイリングするための伝票１１を貼付するために、粘着層１０が設けられている。この粘着層１０は、シート中央部２上に粘着剤を一定間隔で塗布して設けられている。
【００３２】
図において粘着層１０はシート中央部２上において、斜め方向に所定間隔毎に配置された形状を有しているが、この粘着層１０を構成する粘着剤には色素を加えて粘着剤自体が印刷用インク（以下、糊インクという）であるものを用いている。糊インクを用いることにより図３に示すように、汎用の印刷技術を用いて任意の文字、図形、記号等を粘着層１０として設けることができ、これらを企業の商号、ロゴ、商品名等とすれば、伝票等が貼付されていない台紙部分ではこれらの印刷が目視できるため、スキャナ用読取シートそのものを広告媒体として使用することもでき、宣伝・広告効果も期待できる。また、糊インクは、印刷用インクであるため白黒のみならずカラー印字にも対応できるため、カラー広告として印刷されたものへシートのユーザの注目をより喚起させることができる。
【００３３】
なお、台紙１には、伝票１１を真っ直ぐ（台紙の側辺と並行）に貼付するために方眼目ラインのような罫線や所定間隔毎のマトリクス状に配置された十字記号等を糊インクで設けてもよい。
【００３４】
本実施形態においては、被読取用紙として伝票１１を例に挙げているが、レシート、各種チケット、新聞・雑誌のスクラップ記事等、印刷面を有するイメージスキャナ１５で読み取られるのに支障がない程度の厚さの紙片であれば読み取り可能である。
【００３５】
透明シート４は、前記台紙１を覆うように設けられており、当該透明シート４は、その表面に文字や図形を印刷可能な素材のポリプロピレン（ＰＰ）で構成され、その中央部を台紙１の表裏面方向に折り曲げることによって１枚の透明シートで台紙１の表裏面を覆う構造となっている。当該透明シート４は前記台紙１と台紙上部の透明シート固定部５で熱圧着または超音波圧着によって固定されている。透明シート４はこの透明シート固定部５以外の部分において、図１に示すように台紙１から剥離可能であり、透明シート４を剥離してからシート中央部２に伝票１１を貼付し、再度透明シートで台紙１を覆うことで伝票１１を挟持し固定できる。
【００３６】
なお、透明シート４は、ポリプロピレン（ＰＰ）に限定されるものではなく、その他の素材であってもよい。また、透明シート４は、無色透明に限定されるものではなく、イメージスキャナ１５で読み取られるのに支障がない程度であれば半透明であってもよく、着色があってもよい。また、台紙１の素材も紙製に限定されるものではなくポリプロピレン（ＰＰ）、その他の素材であってもよい。
【００３７】
台紙１には、その一辺に綴じ穴７が設けられており、イメージスキャナ１５での読み取り後に書類保存用のファイルに綴じることができるようになっている。この構成により、読み取った後にそのままファイルに保存が可能となる。この際、複数の台紙１を色分けをしてファイリングするようにしてもよい。なお、本実施形態では、綴じ穴７を台紙１の左側辺に設けた構成としているがこれに限定するものではなく、右側辺、あるいは上側、下側に設けた構成としてもよいし、綴じ穴７の個数・大きさもファイルのタイプに合わせた構成となる。
【００３８】
透明シート４は、透明シート固定部５より下の部分に、綴じ代８が開閉の際引っかからないよう一定間隔を空けた箇所に切り込み線６を入れて綴じ代８以外の透明シート４を剥離可能な構成とした。これによりファイルに綴じられた後でも透明シート４を開閉可能となる。シート中央部２とシート底部３との間で透明シート４にミシン目を入れた構成としてもよい。伝票１１を貼付した台紙１をイメージスキャナ１５で読み込んだ後、透明シート４のシート底部３の部分をミシン目により切り取るようにすることで、切り取りのある
シートはスキャナ読み込み済みであることを明示する目印になる。この構成により同じ伝票を二度読み込んでしまうことを防止できる。
【００３９】
台紙１には、イメージスキャナ１５に読み取られる対象物が中央に来るように伝票１１の貼付範囲を制限するための被読取用紙貼付枠９を設けて伝票１１の貼付位置をガイドするようにしている。
【００４０】
本実施形態の図１においては、台紙１の表面のみの構成が示されているが、裏面も同様の構成となっており両面に伝票１１が貼付可能である。その際、透明シート４は、１枚の透明シート４が透明シート固定部５の設けられている辺を中心に台紙１の表裏面方向に折り込まれて成形される構成とすることが好ましい。台紙１の表面・裏面２枚の透明シート４で台紙１を挟み込む構成も可能であるが、台紙１に対して１枚の透明シート４で表裏面をカバーさせるとともに、折り込んだ部分を透明シート固定部５で固定することによって、部材点数を低減できるとともに、イメージスキャナ１５の自動紙送り機構に挿入した場合でも透明シート４と台紙１のずれが生じることをより確実に防止することができる。
【００４１】
なお、本実施形態では、透明シート固定部５を台紙１の上側に設けた構成としているがこれに限定するものではなく、下側、あるいは左右側辺に設けた構成としてもよい。また、当該スキャナ用読取シートは、透明シート固定部５を設けない構成とすることも可能である。しかしながら、イメージスキャナ１５の紙送り機構のローラの摩擦力により透明シート４と台紙１が分離してしまうことを防止することを目的とするには透明シート固定部５を設けた方が好ましい。
【００４２】
図２は、本発明の一実施形態であるスキャナ用読取シートが読み取られる際の説明図である。図２のように伝票１１を挟持した台紙１を図２中の矢印の方向（透明シート固定部５が設けられている辺側）からイメージスキャナ１５の自動紙送り機構に挿入され読み取られる。
【００４３】
図２中の矢印と反対側、すなわちシート底部３側から読み取ることも可能であるが、矢印の方向から読み取られる方が好ましい。透明シート固定部５側からイメージスキャナ１５の紙送り機構に挿入されることにより、粘着層１０と透明シート４との間で伝票１１が確実に固定されるとともに、紙送り機構のローラの摩擦力により透明シート４と台紙１が分離してしまうことを防止できるため、不定形な伝票１１等の印刷紙片を確実にイメージファイリングすることができる。
【００４４】
図３は、本発明の一実施形態であるスキャナ用読取シートのシート底部の説明図である。
シート底部３の右欄には、図１及び２に示すようにマーク１２が付されており、会社名、商品名等の文字やロゴを配置して広告情報を表示することができる。また、図３に示すように、ＱＲコード等の２次元バーコード１３を付することにより、例えば台紙１が綴られる書類保存用のファイルの保管場所情報、読み込んだ日付等、台紙１に貼付されている伝票１１等の被読取用紙に関するデータを格納させることができる。本実施形態では、２次元バーコードを例にあげているが、１次元バーコードであってもよい。
【００４５】
また、２次元バーコード１３に企業データ（例えば、企業のサイトＵＲＬ）を格納させたＱＲコードを用いれば、シートのユーザに携帯電話端末を用いて企業のサイトにアクセスさせることができ、上述の糊インクと併せてスキャナ用読取シートそのものを広告媒体として使用することができる。
【００４６】
さらに、シート底部３には、□マークと文字から成るチェック欄１４が設けられている
。例えば、チェック欄１４には「交際費・通信費・旅費交通費・雑費」等の会計用の勘定科目が記載されており、伝票１１が属する勘定科目に該当する□マークをペン等により黒く塗りつぶしておいて、イメージスキャナ１５のＯＣＲ機能を使用すると、イメージファイリングの仕分けの際に上記勘定科目の該当箇所に仕分けすることができる。
【００４７】
次に、本実施形態に係る粘着層１０について言及する。台紙１に伝票１１を貼付する際には、位置が曲がってしまう等により、何度か貼付し直すことが考えられる。その際、台紙１全体に粘着層１０（糊インク）が設けられていると一度貼付した伝票１１を剥がすことが困難となる。そこで、台紙１全体に糊インクを印刷（塗布）するのではなく、一定間隔を空けて印刷（塗布）するようにすることで、粘着強度を適切なものとした。糊インクの台紙面積に対する最適な比率及び粘着力については後述する。
【００４８】
また、粘着層１０を構成する糊インクには香料を混合してもよい。その場合、透明シート４を剥離した際に特定の匂いがするため、スキャナ用読取シートの利用促進を図れるとともに、当該匂いを比較的強い匂いで構成することによって、当該透明シート４を台紙１から剥離直後であれば匂いによって剥離した事実を検知することが可能となるため、伝票等の不正な差し替えの有無を調べることも可能である。
【００４９】
同様に会計上の不正防止を目的として、一度貼った伝票１１を剥がすと粘着層１０（糊インク）が伝票側に付着し、台紙側には粘着層１０（糊インク）が残らない構成としてもよい。その場合、粘着層１０が剥がれた台紙側には、予め粘着層１０の下に印字しておいた文字（例えば「剥離禁止」等）が粘着層１０が剥がれることによって表示される構成としてもよい。
【００５０】
なお、台紙面積に対して、糊インクによる粘着層１０が形成された面積の占める割合は２％以上で且つ１００％以下であり、且つ糊インクの粘着力が０．００１Ｎ／１０ｍｍ以上で且つ１０Ｎ／１０ｍｍ以下であることが好ましいことが本発明者の実験により明らかとなった。
【００５１】
本発明者の実験によれば、糊インクの印刷（塗布）による印刷面の占有面積が２％未満、且つ糊インクの粘着力が０．００１Ｎ／１０ｍｍ未満では粘着性が低すぎて伝票１１を固定して挟持しにくいばかりかスキャナの自動紙送り機構に挿入した際に、台紙１と伝票１１と透明シート４のずれを生じてしまう。また、印刷面の占有面積が１００％、且つ糊インクの粘着力が１０Ｎ／１０ｍｍ以上となった場合、印刷面が見苦しくなるとともに粘着性が高くなりすぎて粘着層１０からの伝票１１の剥離が困難になってしまう。具体的には伝票１１を剥離する際に捲りづらくなったり、破れてしまったりしてしまう。しかしながら、上記パラメータの範囲内であれば、スキャナ読み取り時の粘着性も適度に保たれ、且つ伝票１１の剥離も好適に行うことができる。
【００５２】
本実施形態では、図４に示すように、イメージスキャナ１５の紙送り機構に挿入され、不定形な印刷紙片を確実にイメージファイリングするためのシートをモデルケースとしているため、スキャナ用読取シートの用紙サイズは、標準的なＡ４サイズを想定して示されている。しかしながら、イメージスキャナ１５に読み取られるのに支障がないサイズであればＡ４サイズに限定されるものではない。
【００５３】
図５は、本発明の一実施形態である手帳用のスキャナ用読取シートである。これは、持ち運びように考えられたものであり図５に示すように、１箇所または複数箇所に折り目が設けられており、折り込まれて手帳に収納可能なものとした。図５では綴じ穴７が設けられておりシステム手帳に綴じられる構成となっている。通常の手帳の場合には挟んで持ち運ぶこととなる。
【００５４】
図８は、スキャナ用読取シートの３つの実施形態を説明する断面図である。図８（ａ）は、図１に示したスキャナ用読取シートの断面図である。上述のとおり透明シート４は、１枚で台紙１の表裏を覆うように設けられており、台紙１には表面・裏面両面に粘着層１０が設けられており伝票１１が貼付されている。図８（ａ）に示すように、台紙１の表面で透明シート４と粘着層１０に伝票１１が挟持されており、裏面も同様である。
【００５５】
図８（ｂ）は、図６に示した本発明の一実施形態であるスキャナ用読取シートの断面図である。図６に示したスキャナ用読取シートと図１に示したスキャナ用読取シートの最大の違いは、上述の透明シート４のみで成形されており台紙１を挟まない構成となっている点にある。１枚の透明シート４を中央部で強く折り込んで折り目１６を設けて重ね合わせて、重ね合わせた内面の両面に粘着層１０を設けて、伝票１１を粘着層１０に貼付して表裏面の透明シート４で挟持した構成である。図６の表裏面の透明シート４には、ファイリングされるための綴じ穴７が各々設けられている。また、シート下部３には約半分の部分から表裏面の透明シート４で左右対称的になるように切り取られている。これにより、透明シート４を剥離する際に剥がし易くなると共に、表裏面にチェック欄１４を設けて文字情報を記入できる。
【００５６】
図６のシートでは、透明シート４内面の両面に被読取用紙を貼付して読み取りを行う構成としてイメージスキャナ１５の両面読み取りに対応可能としている。表裏面の透明シート４の粘着層は１０ミリ単位の方眼目で構成されており、各々伝票１１を貼付できる。この場合、重ね合わせた透明シート４の内面各々に粘着層１０が重ならないように互い違いに設けられ、伝票１１の印刷面側を各々の粘着層１０に貼付して読み取りを行う。
【００５７】
図８（ｃ）は、図７に示した本発明の一実施形態であるスキャナ用読取シートの断面図である。１枚の透明シート４を中央部で強く折り込んで折り目１６を設けて重ね合わせて、重ね合わせた内面の片面に粘着層１０を設けて、伝票１１を透明シート４と粘着層１０とで挟持した構成である。図７に示したスキャナ用読取シートと図６に示したスキャナ用読取シートの最大の違いは、図６に示したスキャナ用読取シートは透明シート４の内面の両面に被読取用紙を貼付して読み取りを行う構成であるのに対し、図７に示したスキャナ用読取シートは透明シート４の内面の片面のみに被読取用紙を貼付して読み取りを行う構成となっている点にある。
【００５８】
なお、図８（ｂ）（ｃ）では、スキャナ用読取シートを１枚の透明シート４で成形した構成としているがこれに限定されるものではなく、２枚の透明シート４を上述の図１に示したように透明シート固定部５で圧着した構成としてもよい。また、粘着層１０を方眼目で設ける構成としているが、図１に示したように文字（企業の商号、ロゴ、商品名等）、図形、記号等を糊インクで設ける構成としてもよい。
【００５９】
図８（ｂ）（ｃ）の構成によれば、粘着層１０と透明シート４との間で伝票１１が確実に固定されるとともに、透明シート４の折り目１６側からイメージスキャナ１５の紙送り機構に挿入されるため、紙送り機構のローラの摩擦力により透明シート４が剥離してしまうことなく、不定形な印刷紙片を確実にイメージファイリングすることができる。さらに、台紙１を不要とすることで部材点数を軽減できるとともに、図８の断面により示すように、（ｃ）→（ｂ）→（ａ）の順にシートの厚さを薄くできるので、読み取り時には厚みによる紙詰まりを防止して好適な紙送りが可能となり、保存時には厚みによる嵩張りを軽減できる。
【００６０】
また、図８（ａ）（ｂ）（ｃ）に示した、伝票１１を挟持した状態でのスキャナ用読取シートの厚みは０．００１ｍｍ以上で且つ５．００ｍｍ以下の範囲とすることが好ましい
ことが本発明の実験により明らかとなった。
【００６１】
本発明者の実験によれば、伝票１１を挟持した状態でのスキャナ用読取シートの厚みを０．００１ｍｍ未満とした場合、スキャナ用読取シートが薄すぎてスキャナの自動紙送り機構に挿入した際に、スキャナ内で紙詰まりを起こしてしまう。また、スキャナ用読取シートの厚みを５．００ｍｍ以上とした場合、スキャナ用読取シートの厚みによりスキャナの自動紙送り機構に挿入した際に紙送りが困難になってしまう。さらに、透明シート４の厚みによりスキャナ読み取り時の透過性が低下することで、読み取った画像データの画質も低下してしまう。しかしながら、スキャナ用読取シートの厚みが上記パラメータの範囲内であれば、スキャナ読み取り時の紙詰まりを防止し、好適なスキャナでの読み取りを行うことができる。
【産業上の利用可能性】
【００６２】
本発明は、自動紙送り機構を備えたスキャナを用いたイメージファイリングに利用できる。
【図面の簡単な説明】
【００６３】
【図１】本発明の一実施形態であるスキャナ用読取シートの全体構成図
【図２】本発明の一実施形態であるスキャナ用読取シートが読み取られる際の説明図
【図３】本発明の一実施形態であるスキャナ用読取シートのシート底部の説明図
【図４】本実施形態のスキャナ用読取シートをイメージスキャナの紙送り機構に挿入している状態を示す説明図
【図５】本発明の一実施形態である手帳用のスキャナ用読取シートの説明図
【図６】本発明の一実施形態であるスキャナ用読取シートの全体構成図
【図７】本発明の一実施形態であるスキャナ用読取シートの全体構成図
【図８】本発明のスキャナ用読取シートの３つの実施形態を説明する断面図
【符号の説明】
【００６４】
１  台紙
２  シート中央部
３  シート底部
４  透明シート
５  透明シート固定部
６  切り込み線
７  綴じ穴
８  綴じ代
９  被読取用紙貼付枠
１０  粘着層（糊インク）
１１  伝票（被読取用紙）
１２  マーク
１３  ２次元バーコード（ＱＲコード）
１４  チェック欄
１５  イメージスキャナ
１６  折り目
【図１】
2009284091.tif 000003
【図２】
2009284091.tif 000004
【図３】
2009284091.tif 000005
【図４】
2009284091.tif 000006
【図５】
2009284091.tif 000007
【図６】
2009284091.tif 000008
【図７】
2009284091.tif 000009
【図８】
2009284091.tif 000010